【手続補正書】
【提出日】令和2年1月28日(2020.1.28)
【手続補正１】
【補正対象書類名】特許請求の範囲
【補正対象項目名】全文
【補正方法】変更
【補正の内容】
【特許請求の範囲】
【請求項１】
加硫可能な組成物であって、
ｉ）
（ａ）アクリロニトリル、メタクリロニトリル、エタクリロニトリル、又はそれらの混合物である、０．１重量％〜３８重量％の少なくとも１種のα，β−エチレン性不飽和ニトリル単位、
（ｂ）１，３−ブタジエン、イソプレン、２，３−ジメチルブタジエン、１，３−ペンタジエン（ピペリレン）、又はそれらの混合物である、１５重量％〜８９．９重量％の少なくとも１種の共役ジエン単位、及び
（ｃ）１０重量％〜６５重量％の少なくとも１種のα，β−エチレン性不飽和カルボン酸エステル単位、
を含み、
ここで、すべてのモノマー単位の合計量である１００重量％を基準にして、少なくとも１０重量％の前記α，β−エチレン性不飽和カルボン酸エステル単位（ｃ）が、一般式（Ｉ）
【化１】
2020528088.tif 000001
［式中、
Ｒは、水素、又は分岐状若しくは非分岐状のＣ１〜Ｃ２０−アルキルであり、
ｎは、１〜１２であり、
Ｒ１は、水素又はＣＨ３−である］
のＰＥＧアクリレート（ｄ）である、水素化ニトリル−ジエン−カルボン酸エステルコポリマー、
ｉｉ）水素化ニトリル−ジエン−カルボン酸エステルコポリマー（ｉ）の１００重量部を基準にして、１０〜２５０重量部の少なくとも１種のシリカ、並びに
ｉｉｉ）少なくとも１種の架橋剤、
を含む、加硫可能な組成物。
【請求項２】
ｉ）
（ａ）アクリロニトリル、メタクリロニトリル、エタクリロニトリル、又はそれらの混合物である、１０重量％〜３３重量％の少なくとも１種のα，β−エチレン性不飽和ニトリル単位、
（ｂ）１，３−ブタジエン、イソプレン、２，３−ジメチルブタジエン、１，３−ペンタジエン（ピペリレン）、又はそれらの混合物である、２１重量％〜７９重量％の少なくとも１種の共役ジエン単位、及び
（ｃ）１１重量％〜６０重量％の少なくとも１種のα，β−エチレン性不飽和カルボン酸エステル単位、
を含み、
ここで、すべてのモノマー単位の合計量である１００重量％を基準にして、少なくとも１５重量％の前記α，β−エチレン性不飽和カルボン酸エステル単位（ｃ）が、一般式（Ｉ）
【化２】
2020528088.tif 000002
［式中、
Ｒは、水素、又は分岐状若しくは非分岐状のＣ１〜Ｃ２０−アルキルであり、
ｎは、１〜１２であり、
Ｒ１は、水素又はＣＨ３−である］
のＰＥＧアクリレート（ｄ）である、水素化ニトリル−ジエン−カルボン酸エステルコポリマー、
ｉｉ）水素化ニトリル−ジエン−カルボン酸エステルコポリマー（ｉ）の１００重量部を基準にして、１０〜２５０重量部の少なくとも１種のシリカ、並びに
ｉｉｉ）少なくとも１種の架橋剤、
を含む、請求項１に記載の加硫可能な組成物。
【請求項３】
ｉ）
（ａ）アクリロニトリル、メタクリロニトリル、エタクリロニトリル、又はそれらの混合物である、８重量％〜２５重量％の少なくとも１種のα，β−エチレン性不飽和ニトリル単位、
（ｂ）１，３−ブタジエン、イソプレン、２，３−ジメチルブタジエン、１，３−ペンタジエン（ピペリレン）、又はそれらの混合物である、２５重量％〜６５重量％の少なくとも１種の共役ジエン単位、及び
（ｃ）２５重量％〜５５重量％の少なくとも１種のα，β−エチレン性不飽和カルボン酸エステル単位、
を含み、
ここで、すべてのモノマー単位の合計量である１００重量％を基準にして、少なくとも２０重量％の前記α，β−エチレン性不飽和カルボン酸エステル単位（ｃ）が、一般式（Ｉ）
【化３】
2020528088.tif 000003
［式中、
Ｒは、水素、又は分岐状若しくは非分岐状のＣ１〜Ｃ２０−アルキルであり、
ｎは、１〜１２であり、
Ｒ１は、水素又はＣＨ３−である］
のＰＥＧアクリレート（ｄ）である、水素化ニトリル−ジエン−カルボン酸エステルコポリマー、
ｉｉ）水素化ニトリル−ジエン−カルボン酸エステルコポリマー（ｉ）の１００重量部を基準にして、１０〜２５０重量部の少なくとも１種のシリカ、並びに
ｉｉｉ）少なくとも１種の架橋剤、
を含む、請求項１又は２に記載の加硫可能な組成物。
【請求項４】
前記共役ジエン単位（ｂ）が、５０％〜１００％の程度まで水素化されていることを特徴とする、請求項１〜３のいずれか一項に記載の加硫可能な組成物。
【請求項５】
前記共役ジエン単位（ｂ）が、１，３−ブタジエンであることを特徴とする、請求項１〜４のいずれか一項に記載の加硫可能な組成物。
【請求項６】
前記ＰＥＧアクリレート単位（ｄ）が、２〜１２個の繰り返しエチレングリコール単位を有する、メトキシ、エトキシ、ブトキシ、又はエチルヘキソキシポリエチレングリコール（メタ）アクリレートであることを特徴とする、請求項１〜５のいずれか一項に記載の加硫可能な組成物。
【請求項７】
ｎが２又は３であり、Ｒがエチル又はブチルであり、Ｒ１が水素又はメチルであることを特徴とする、請求項１〜６のいずれか一項に記載の加硫可能な組成物。
【請求項８】
前記水素化ニトリル−ジエン−カルボン酸エステルコポリマーが、８重量％〜２５重量％のアクリロニトリル単位、２５重量％〜６５重量％の１，３−ブタジエン単位、及び２５重量％〜５５重量％のＰＥＧ−２アクリレート単位又はＰＥＧ−３アクリレート単位を含むコポリマーであることを特徴とする、請求項１〜７のいずれか一項に記載の加硫可能な組成物。
【請求項９】
前記シリカ（ｉｉ）が、非シラン化処理シリカ又はシラン化処理したシリカであることを特徴とする、請求項１〜８のいずれか一項に記載の加硫可能な組成物。
【請求項１０】
前記架橋剤（ｉｉｉ）が、ペルオキシド系、硫黄含有若しくはアミン系架橋剤、好ましくは少なくとも１種のペルオキシド系架橋剤、より好ましくは、ペルオキシド系架橋剤であることを特徴とする、請求項１〜９のいずれか一項に記載の加硫可能な組成物。
【請求項１１】
１００重量部の水素化ニトリル−ジエン−カルボン酸エステルコポリマー（ｉ）、
１０〜２５０重量部の少なくとも１種のシリカ（ｉｉ）、好ましくは少なくとも１種のシラン化処理したシリカ、
０．１〜２０重量部の少なくとも１種の架橋剤（ｉｉｉ）、
を含む、請求項１〜１０のいずれか一項に記載の加硫可能な組成物。
【請求項１２】
請求項１〜１１のいずれか一項に記載の水素化ニトリル−ジエン−カルボン酸エステルコポリマーを、シリカ及び少なくとも１種の架橋剤と混合することによる、請求項１〜９のいずれか一項に記載の加硫可能な組成物を製造するためのプロセス。
【請求項１３】
請求項１〜１１のいずれか一項に記載の加硫可能な組成物を、成形プロセスにおいて、さらに１００℃〜２５０℃の範囲の温度で、加硫にかけることを特徴とする、加硫物を、成形物の形態で製造するためのプロセス。
【請求項１４】
請求項１２又は１３に記載のプロセスによって得ることが可能な、請求項１〜１１のいずれか一項に記載の加硫可能な組成物から製造される加硫物。
【請求項１５】
前記成形物が、ベルト、ガスケット、ローラー、履物の部品、ホース、制震要素、ステーター、及びケーブルシースから選択されることを特徴とする、請求項１４に記載の加硫物。
【請求項１６】
成形物を製造するため、ベルト、ガスケット、ローラー、履物の部品、ホース、制震要素、ステーター、及びケーブルシースからなる群から選択される成形物を製造するための、請求項１〜１１のいずれか一項に記載の加硫可能な組成物の使用。